(57)【要約】      （修正有）【課題】除草刃体の両端が把手部と連結されている構造の器具において、刃体取付構造の簡素化及び多機能性が付与された除草具を提供する。【解決手段】把手部３の先方に二股状の刃体装着部（腕板部）を設け、一縁にセレーション加工による三角波刃に形成した切断刃１１を形成し、他縁にレーキ歯１２を形成した矩形刃体１を、把手部３を持ち上げた状態で矩形刃体１がほぼ水平で、且つ切断刃１１が把手部３側に位置するように、刃体装着部（腕板部）間に架設装着してなる。【選択図】図１
0003195219.tif 000002
【実用新案登録請求の範囲】
【請求項１】
把手部の先方に二股状の刃体装着部を設け、一縁に切断刃を他縁にレーキ歯を形成した矩形刃体を、把手部を持ち上げた状態で矩形刃体がほぼ水平で、且つ切断刃が把手側に位置するように、前記刃体装着部間に架設装着してなる除草具。
【請求項２】
切断刃をセレーション加工による三角波刃に形成してなる請求項１記載の除草具。
【請求項３】
矩形刃体の両端縁中央に軸部を突設し、金属板を湾曲形成して対向面とした刃体装着部における前記対向面に、前記軸部の挿通孔を穿設すると共に、前記挿通孔の周囲に矩形刃体の回り止め突出部を形成してなる請求項１又は２記載の除草具。
【請求項４】
矩形刃体が１０〜１５度程度の微小角度の回動を可能とする回り止め突出部を形成してなる請求項３記載の除草具。
【考案の詳細な説明】
【技術分野】
【０００１】
本考案は、雑草等の除去に使用する除草具に関するものである。
【背景技術】
【０００２】
手道具としての除草具は、種々の構造のものが知られているが、本考案に係る除草具は、特に草削りと称される除草刃体の両端が把手部と連結されているコの字状の刃体を採用した器具である。
【０００３】
具体的には、コの字状の刃体の両側部を、二股の装着腕部を備えた柄装着体に連結し、柄装着体を適宜な長柄に装着した器具（特許文献１）や、コの字状の刃体の両側部を直接把手体の側面にビス止めした器具（特許文献２）が知られている。
【先行技術文献】
【特許文献】
【０００４】
【特許文献１】特開平９−１２１６０１号公報。
【特許文献２】特開２００７−２１５４１１号公報。
【考案の概要】
【考案が解決しようとする課題】
【０００５】
前記の除草刃体の両端が把手部と連結されている構造の器具において、刃体取付構造の簡素化及び多機能性の付与を達成する。
【課題を解決するための手段】
【０００６】
本考案に係る除草具は、把手部の先方に二股状の刃体装着部を設け、一縁に切断刃を他縁にレーキ歯を形成した矩形刃体を、把手部を持ち上げた状態で矩形刃体がほぼ水平で、且つ切断刃が把手側に位置するように、前記刃体装着部間に架設装着してなることを特徴とするものである。
【０００７】
而して矩形刃体が水平状態（地面と平行な状態）で把手部を保持して矩形刃体の手前側の雑草に対して器具を引き寄せると、従前の草削り作業と同様に除草することができ、前記の除草作業を終了すると、把手部を上下逆転させて保持すると、矩形刃体は起立状態となり、レーキ歯が下方に位置し、刈り取った雑草の掻き寄せ作業（レーキ作業）を行うことができる。
【０００８】
また請求項２記載の考案は、特に切断刃をセレーション加工による三角波刃に形成してなるもので、切断効率の優れた刃付を容易に形成できるものである。
【０００９】
また請求項３記載の考案は、特に矩形刃体の両端縁中央に軸部を突設し、金属板を湾曲形成して対向面とした刃体装着部における前記対向面に、前記軸部の挿通孔を穿設すると共に、前記挿通孔の周囲に矩形刃体の回り止め突出部を形成してなるもので、簡単な製造手段で刃体装着部に矩形刃体を装着することができる。
【００１０】
また請求項４記載の考案は、特に前記の回り止め突起部の形成に際して、矩形刃体が微小角度回動可能に形成してなるもので、この回動が所謂遊びで、草刈り作業及びレーキ作業において、地表の凹凸に対してその変化を吸収する機能を備えるものである。
【考案の効果】
【００１１】
本考案は上記の構成で、単一器具で草刈り（草削り）作業と、掻き寄せ作業を行うことができたものである。
【図面の簡単な説明】
【００１２】
【図１】本考案の実施形態の全体斜視図。
【図２】同要部拡大斜視図。
【図３】使用状態の説明図（側面図）で、（イ）は草刈り時（ロ）は掻き寄せ時を示す。
【図４】同図（斜視図）。
【考案を実施するための形態】
【００１３】
次に本考案の実施形態について説明する。実施形態に示した除草具は、矩形刃体１と、刃体装着体２と把手部３で構成される。
【００１４】
矩形刃体１は、幅３〜４ｃｍ、長さ８〜１２ｃｍ程度間矩形板で、長さ方向の一縁にセレーション加工で三角波刃に形成した切断刃１１を形成し、他方縁を三角歯のレーキ歯１２に形成したものである。また短縁の中心に突出部分を巻いて軸部１３を設け、軽量化を図るために適宜な透孔１４を設けているものである。
【００１５】
刃体装着体２は、Ｔ状金属板（ステンレス板）の縦板部分を基部２１として把手部３と連結し、横板部分を斜め下方に湾曲して対向面として腕板部（刃体装着部）２２を形成する。この腕板部２２の先端部分に前記軸部１３の挿通孔２３を穿設すると共に、前記挿通孔２３の周囲に矩形刃体１の回り止め突出部２４を形成し、矩形刃体１を腕板部２２間に一定角度で架設装着してなるものである。
【００１６】
特に前記の回り止め突出部２４は、矩形刃体１が一定角度で固定されるようにせず、微小角度（１０〜１５度）の回動を可能とするように設けたものである。
【００１７】
把手部３は、樹脂製で、適宜な手段で基部２１と一体化したものである。
【００１８】
特には矩形刃体１の腕板部（刃体装着部）２２に対する装着角度、即ち周り止め突出部２４の形成位置は、図３に示したとおり、把手部３を持ち上げた状態で矩形刃体１が略水平で、且つ切断刃１１が把手部３側に位置するようにしたものである。具体的には矩形刃体１の水平面と把手部３の中心角度が４５度以下（例えば角度ａを４０度とする）とするものである。
【００１９】
而して前記器具は、矩形刃体１を略水平状態（地面と平行な状態）として把手部３を保持し、矩形刃体１の手前側の雑草Ａに対して器具を引き寄せると、従前の草削り作業と同様に除草することができる。この除草作業に際して把手部３を地表面に対して３０度（角度ｂ）の傾きで保持すると、矩形刃体１は地表面に対して１０度の角度で雑草Ａに対して切り込むことになり、把手部３を強い力で引きやすい角度で保持して草刈り（草削り）作業を行うことができるものである。
【００２０】
更に前記の除草作業を終了すると、把手部３を上下逆転させて保持すると、レーキ歯が下方に位置し、而も把手部の保持角度ｃを仮に５０度にすると、矩形刃体１は鉛直に起立した状態となり、更に角度を小さくして保持すると、矩形刃体１は上方が手前側となる傾斜状態で、把手部３を引きやすい角度で保持して刈り取った雑草Ｂの掻き寄せ作業（熊手作業）を行うことができるものである。
【符号の説明】
【００２１】
１      矩形刃体
１１    切断刃
１２    レーキ歯
１３    軸部
１４    透孔
２      刃体装着体
２１    基部
２２    腕板部（刃体装着部）
２３    挿通孔
２４    回り止め突出部
３      把手部
【図１】
0003195219.tif 000003
【図２】
0003195219.tif 000004
【図３】
0003195219.tif 000005
【図４】
0003195219.tif 000006